(57)【特許請求の範囲】
【請求項１】
ボトルを一体的に保持するボトル保持具であって、
前記ボトルの底面を受ける底部と、
前記ボトルの上部と係脱可能に係合する係合部と、
前記底部と前記係合部とを繋ぐ二本の連結部と、
二本の前記連結部の一側中間部同士を繋ぎ、前記ボトルの背面側外周に沿う第一の脱落防止板と、
前記第一の脱落防止板よりも下方において、前記第一の脱落防止板と高さ方向で重ならないように、前記二本の前記連結部の他側中間部同士を繋ぎ、前記ボトルの正面側外周に沿う第二の脱落防止板と、
を備えることを特徴とするボトル保持具。
【請求項２】
前記脱落防止板が、幅方向に連続する平板部を備えることを特徴とする請求項１記載のボトル保持具。
【請求項３】
前記脱落防止板の平板部間同士の水平距離が、前記ボトルの胴部外径よりも小さいことを特徴とする請求項１又は２記載のボトル保持具。
【請求項４】
前記第二の脱落防止板よりも下方において、前記二本の連結部の一側からそれぞれ延出し、前記ボトルの背面側外周に沿う二枚のウィングを更に備えることを特徴とする請求項１〜３のいずれかに記載のボトル保持具。
【請求項５】
前記脱落防止板又は前記脱落防止板と前記ウィングの端部が、前記二本の連結部の対向する内面側に接合することを特徴とする請求項１〜４のいずれかに記載のボトル保持具。
【請求項６】
前記係合部及び／又は前記連結部の上部に形成され、前記係合部に対する前記ボトルの係脱に際して指掛けとなる指掛け部を更に備えることを特徴とする請求項１〜５のいずれかに記載のボトル保持具。
【請求項７】
前記脱落防止板及び／又は前記ウィングが、前記ボトルの胴部に形成されたビードに嵌入されることを特徴とする請求項１〜６のいずれかに記載のボトル保持具。
【請求項８】
一方の前記連結部から外方へ突出するハンドルを備えることを特徴とする請求項１〜７のいずれかに記載のボトル保持具。
【請求項９】
前記ハンドルが、その内周面を形成する内周板と、外周面を形成する外周板と、これらを繋ぐリブとによって断面Ｈ型に形成されるとともに、前記内周板の幅が前記外周板の幅よりも小さいことを特徴とする請求項８に記載のボトル保持具。
【請求項１０】
前記底部上面、係合部の内面及び脱落防止板の内面のいずれか一つ以上に設けられた滑り止め部材を備え、
前記滑り止め部材の静摩擦係数を０．６以上としたことを特徴とする請求項１〜９のいずれかに記載のボトル保持具。
【請求項１１】
前記滑り止め部材が、ウレタンシート又はゴムシートからなることを特徴とする請求項１０記載のボトル保持具。
【請求項１２】
前記滑り止め部材が前記底部上面に設けられた場合、前記底部上面のうち、前記ボトル底面と当接する部分のみに設けられることを特徴とする請求項１０又は１１記載のボトル保持具。
【請求項１３】
注出口を回転式のキャップで開閉する、底面に凹部を備えたボトルを一体的に保持するボトル保持具であって、
前記底部の上面に形成され、前記凹部との係合により、キャップ開閉操作時におけるボトル本体の共回りを規制する凸リブを備えることを特徴とする請求項１〜１２のいずれかに記載のボトル保持具。
【請求項１４】
前記凸リブを、前記ボトル保持具の底部の同一円周上に、少なくとも２本以上等間隔に設けたことを特徴とする請求項１３記載のボトル保持具。
【請求項１５】
前記ボトルの底面に形成した凹部と前記保持具の底部に形成した凸リブとの係合により、キャップ開閉操作時におけるボトル本体の共回りを規制するようにした、前記ボトルと請求項１３又は１４記載のボトル保持具とを含むボトルユニット。
【請求項１６】
前記ボトルの底面の凹部を、前記凸リブと同一円周上に前記凸リブの本数の整数倍の数設けたことを特徴とする請求項１５記載のボトルユニット。
【発明の詳細な説明】
【技術分野】
【０００１】
本発明は、ボトルを一体的に保持するボトル保持具に関し、特に、薄肉なＰＥＴボトルに好適に用いることができるボトル保持具に関する。
また、本発明は、キャップの開閉時にボトルが共回りするのを防止するボトル保持具及びボトルユニットに関する。
【背景技術】
【０００２】
ミネラルウォータ、お茶などの液体飲料の多くは、軽量ボトルである、いわゆるＰＥＴボトルに充填して販売されている。従来のＰＥＴボトルは、ある程度の厚みを有し、自己の形状を保つ保形性を有しているが、製造コストや廃棄物の減容化を考慮すると、ボトルは可及的に薄肉であることが好ましい。これは、製造時に使用する原材料が少なくて済み、また、使用後は容易に潰して廃棄できるからである（例えば、特許文献１参照）。
【０００３】
しかしながら、軽量ボトルは、肉厚を薄くすればするほど、構造的に保形性が乏しくなって変形し易くなり、特に、２リットル入りＰＥＴボトルのように比較的大容量のボトルでは、ユーザによる取り扱いが難しくなる。例えば、ユーザがボトル内の飲料を飲むために、開封された薄肉ボトルの胴部を把持すると、その把持力で胴部が内方へ大きくへこみ、その結果、ボトルの注出口から飲料が噴き出してしまうなどの問題が生じ易くなる。
【０００４】
そこで、薄肉ボトルの取り扱いを容易にするボトル保持具が提案されている（例えば、特許文献２、３参照）。特許文献２に記載されたボトル保持具は、ハンドルを有する箱体に、ボトルを出し入れするための開口や窓孔、ボトルのネック部と係合する案内溝などを形成して構成されており、箱体にボトルを収容すると、ボトルを直接把持することなく、ハンドル把持によるボトルの運搬や内容物の注出が可能になる。
しかしながら、特許文献２に記載されたボトル保持具のように、ボトル全体を箱体で覆う場合、全体容積が大きくなるだけでなく、軽量ボトルが有する適度な撓み特性が損なわれ、冷蔵庫のドアポケットなどに対する収まりが悪くなるという問題がある。
【０００５】
上記問題点を解決した従来例として、特許文献３に示すボトル保持具がある。
図２９の（ａ）は、従来例に係るボトル保持具の正面図、図２９の（ｂ）は、従来例に係るボトル保持具の右側面図、図２９の（ｃ）は、従来例に係るボトル保持具の平面図、図３０の（ａ）は、従来例に係るボトル保持具の係合部を示す正面図、図３０の（ｂ）は、従来例に係るボトル保持具の係合部を示す右側面図、図３０の（ｃ）は、従来例に係るボトル保持具の係合部を示す平面図、図３１の（ａ）は、従来例に係るボトル保持具のハンドルを示す正面図、図３１の（ｂ）は、従来例に係るボトル保持具のハンドルを示す右側面図、図３１の（ｃ）は、従来例に係るボトル保持具のハンドルを示す平面図である。
【０００６】
これらの図に示すように、特許文献３に記載されるボトル保持具１００は、ボトルの底面を受ける底部１１０と、ボトルの上部と係脱可能に係合する係合部１２０と、底部１１０と係合部１２０とを繋ぐ二本の連結部１３０と、一方の連結部１３０から外方へ突出するハンドル１４０と、各連結部１３０からボトルの外周に沿って延びる複数のウィング（フィン）１７０とを備えて構成されている。
このように構成されたボトル保持具１００によれば、保持したボトルの外周のうち、多くの領域が露出状態になるので、全体容積の増加が抑えられるだけでなく、軽量ボトルが有する適度な撓み特性を生かし、冷蔵庫のドアポケットに対する挿入や取り出しを容易に行うことができる。
【特許文献１】特開２００１−２７０５０７号公報
【特許文献２】実用新案登録第２６０５１３１号公報
【特許文献３】特開２００４−６７１１４号公報
【発明の開示】
【発明が解決しようとする課題】
【０００７】
しかしながら、特許文献３に記載されるボトル保持具は、ボトルの安定支持、キャップ開閉時の操作性などの点において、更に改善の余地がある。
【０００８】
すなわち、特許文献３に記載のボトル保持具では、ボトルの胴部をウィングで支持しているので、ボトル自体の撓み変形やウィングの撓み変形によってボトルの支持が不安定になり、最悪の場合、隙間部分からボトルが脱落する可能性がある。
【０００９】
また、特許文献３のボトル保持具１００は、胴部の水平断面が円形で、かつ、注出口を回転式（ねじ式など）のキャップで開閉するボトルに適用した場合、キャップの開閉操作時にボトル本体が共回りし、キャップの開閉に手間取る可能性がある。
【００１０】
本発明は、上記の事情にかんがみなされたものであり、保持したボトルの外周のうち、多くの領域を露出状態として、全体容積の増加を抑えるとともに、軽量ボトルが有する適度な撓み特性を生かし、冷蔵庫のドアポケットなどに対する挿入や取り出しを容易に行うことができ、しかも、ボトルを安定支持して、ボトルの脱落を確実に防止できるボトル保持具の提供を目的とする。
【００１１】
また、本発明は、キャップ開閉時に特殊な操作を行うことなく、キャップ開閉操作時におけるボトル本体の共回りを防止できるボトル保持具及びボトルユニットの提供を目的とする。
【００１２】
なお、特許文献１には、非円形（四角形、多角形など）のネックリングを備えるボトルが開示されている。このようなボトルの場合、ボトル保持具の係合部においてボトル本体の共回りを容易に規制し得るが、ネックリングを非円形にすると、円形のネックリングを有する一般的なボトルとの互換性が損なわれるという問題がある。例えば、ボトルの製造ライン及びボトルに内容物を充填する充填ラインは、通常、円形のネックリングを前提として構成されているので、ネックリングを非円形とした場合、専用の充填ラインを用意しなければならない。
【課題を解決するための手段】
【００１３】
上記目的を達成するため本発明のボトル保持具は、ボトルを一体的に保持するボトル保持具であって、前記ボトルの底面を受ける底部と、前記ボトルの上部と係脱可能に係合する係合部と、前記底部と前記係合部とを繋ぐ二本の連結部と、二本の前記連結部の一側中間部同士を繋ぎ、前記ボトルの背面側外周に沿う第一の脱落防止板と、前記第一の脱落防止板よりも下方において、前記第一の脱落防止板と高さ方向で重ならないように、二本の前記連結部の他側中間部同士を繋ぎ、前記ボトルの正面側外周に沿う第二の脱落防止板とを備える構成としてある。
【００１４】
このようにすると、二本の脱落防止板によってボトルを全周に亘って支持するので、ボトル自体が使用途中で撓み変形しても、安定に支持できるだけでなく、ボトルの脱落も確実に防止できる。また、脱落防止板自体の剛性も向上する。
しかも、第二の脱落防止板は、第一の脱落防止板よりも下方で、かつ、第一の脱落防止板と高さ方向で重ならないように形成されるので、第二の脱落防止板上方の開口部を広くすることができる。その結果、ボトル装着に際しては、ボトルを傾けた状態で両脱落防止板間に容易に挿入することができる。
【００１５】
また、本発明のボトル保持具は、前記脱落防止板が、幅方向に連続する平板部を備える構成としてある。
このようにすると、ボトル保持具の外径寸法を小さくできるだけでなく、ボトルの胴部断面を長円状又は楕円状に規制し、冷蔵庫のポケットなどへの収納性を向上させることができる。
【００１６】
また、本発明のボトル保持具は、前記脱落防止板同士の水平距離が、前記ボトルの胴部外径よりも小さい構成としてある。
このようにすると、保持したボトルの胴部に脱落防止板が食い込むので、ボトルの支持がより確実になるとともに、ボトルの脱落が一層防止される。
【００１７】
また、本発明のボトル保持具は、前記第二の脱落防止板よりも下方で、二本の前記連結部の他側からそれぞれ延出し、前記ボトルの背面側外周に沿う二枚のウィングを更に備える構成としてある。
このようにすると、二枚のウィングによってボトルの脱落が一層防止される。しかも、これらのウィングは、ボトル装着時に邪魔にならないので、同じ箇所に第三の脱落防止板を形成する場合に比べ、ボトルの装着性を向上させることができる。
【００１８】
また、本発明のボトル保持具は、前記脱落防止板又は前記脱落防止板と前記ウィングの端部が、前記二本の連結部の対向する内面側において接合する構成としてある。
このようにすると、ボトル未装着のボトル保持具を搬送したり保管したりする際、隣り合うボトル保持具の脱落防止板やウィング同士がぶつかることなく隣の連結部の間に入り込むので、効率よくスタックすることが可能となる。
【００１９】
また、本発明のボトル保持具は、前記係合部及び／又は前記連結部の上部に形成され、前記係合部に対する前記ボトルの係脱に際して指掛けとなる指掛け部を更に備える構成としてある。
このようにすると、ボトル保持具の係合部に対するボトルの係脱操作が容易になる。
【００２０】
また、本発明のボトル保持具は、前記脱落防止板及び／又は前記ウィングが、前記ボトルの胴部に形成されたビードに嵌入される構成としてある。
このようにすると、ボトルのビードに脱落防止板やウィングが嵌入することによって、ボトルの支持がより確実になるとともに、ボトルの脱落が一層防止される。
【００２１】
また、本発明のボトル保持具は、一方の前記連結部から外方へ突出するハンドルを備えた構成としてある。
このようにすると、保持具の取り扱いが容易になり、ボトルの装着時や内容液の注出時などの操作性が向上する。
【００２２】
また、本発明のボトル保持具は、前記ハンドルが、その内周面を形成する内周板と、外周面を形成する外周板と、これらを繋ぐリブとによって断面Ｈ型に形成されるとともに、前記内周板の幅が前記外周板の幅よりも小さくなる構成としてある。
このようにすると、ハンドルの強度が高められるだけでなく、ハンドルを握り易くして操作性の向上が図れる。
【００２３】
また、本発明のボトル保持具は、前記底部上面、係合部の内面及び脱落防止板の内面のいずれか一つ以上に滑り止め部材を備え、前記滑り止め部材の静摩擦係数を０．６以上とした構成としてある。
【００２４】
このようにすると、ボトルと滑り止め部材との間に生じる摩擦力によって、キャップ開閉操作時におけるボトル本体の共回りが規制されるので、キャップ開閉時に特殊な操作を行う必要がない。これにより、キャップ開閉時の操作性を向上させることができるだけでなく、一般的なボトルとの互換性を維持し、充填ラインなどを共用できる。
【００２５】
また、本発明のボトル保持具は、前記滑り止め部材が、ウレタンシート又はゴムシートからなる構成としてある。
このようにすると、適度な静摩擦係数を有し、かつ、安価なウレタンシート又はゴムシートを用いて、キャップ開閉操作時におけるボトル本体の共回りを防止できる。
【００２６】
また、本発明のボトル保持具は、前記滑り止め部材が前記底部上面に設けられた場合、前記底部上面のうち、前記ボトル底面と当接する部分のみに設けられる構成としてある。
このようにすると、滑り止め部材の必要量を減らし、コストダウンを図ることができる。
【００２７】
また、本発明のボトル保持具は、注出口を回転式のキャップで開閉する、底面に凹部を備えたボトルを一体的に保持するボトル保持具であって、前記底部の上面に形成され、前記凹部との係合により、キャップ開閉操作時におけるボトル本体の共回りを規制する凸リブを備える構成としてある。
【００２８】
このようにすると、ボトルに形成した凹部と凸リブが係合することによって、ボトル開閉操作時におけるボトルの共回りを確実に防止することができる。
【００２９】
上記目的を達成するため本発明のボトルユニットは、前記ボトルの底面に形成した凹部と前記保持具の底部に形成した凸リブとの係合により、キャップ開閉操作時におけるボトル本体の共回りを規制するようにした、前記ボトルと前記底部に凸リブを備えたボトル保持具とを含む構成としてある。
【００３０】
このようにしたボトルユニットによれば、キャップ開閉時に特殊な操作を行うことなく、キャップ開閉操作時におけるボトル本体の共回りを防止できる。これにより、キャップ開閉時の操作性を向上させることができる。
【００３１】
また、本発明のボトルユニットは、前記凸リブを、前記ボトル保持具の底部の同一円周上に、少なくとも２本以上等間隔に設けた構成としてある。
このようにすると、複数の凸リブがボトル底面の凹部に容易に係合し、ボトル本体の共回りを効率良く規制することができる。
【発明の効果】
【００３２】
以上のように、本発明によれば、保持したボトルの外周のうち、多くの領域を露出状態として、全体容積の増加を抑えるとともに、軽量ボトルが有する適度な撓み特性を生かし、冷蔵庫のドアポケットなどに対する挿入や取り出しを容易に行うことができるボトル保持具でありながら、二本の脱落防止板によってボトルを全周に亘って支持するので、ボトル自体が使用途中で撓み変形しても、安定に支持できるだけでなく、ボトルの脱落も確実に防止できる。
また、第二の脱落防止板は、第一の脱落防止板よりも下方で、かつ、第一の脱落防止板と高さ方向で重ならないように形成されるので、第二の脱落防止板上方の開口部を広くすることができ、ボトルを傾けた状態で両脱落防止板間に容易に装着することができる。
さらに、ボトル未装着のボトル保持具を搬送したり保管したりする際、隣り合うボトル保持具の脱落板やウィング同士がぶつかることなく隣の連結部の間に入り込むので、ボトル保持具を効率よくスタックする（重ねる）ことが可能となる。
またさらに、キャップ開閉時に特殊な操作を行うことなく、キャップ開閉操作時におけるボトル本体の共回りを規制することが可能になる。その結果、キャップ開閉時の操作性を向上させることができるだけでなく、一般的なボトルとの互換性を維持し、充填ラインなどを共用することができる。
【発明を実施するための最良の形態】
【００３３】
以下、本発明のボトル保持具の実施形態について、図面を参照して説明する。
【００３４】
［第一実施形態］
図１は、本発明の第一実施形態に係るボトル保持具の使用状態を示す正面図、図２は、本発明の第一実施形態に係るボトル保持具の使用状態を示す側面図、図３は、本発明の第一実施形態に係るボトル保持具の正面図、図４は、本発明の第一実施形態に係るボトル保持具の背面図、図５は、本発明の第一実施形態に係るボトル保持具の左側面図、図６は、本発明の第一実施形態に係るボトル保持具の右側面図、図７は、本発明の第一実施形態に係るボトル保持具の平面図、図８は、本発明の第一実施形態に係るボトル保持具の底面図、図９は、本発明の第一実施形態に係るボトル保持具のＡ−Ａ断面図、図１０は、本発明の第一実施形態に係るボトル保持具のＢ−Ｂ断面図、図１２の（ａ）は、本発明の第一実施形態に係るボトル保持具の係合部を示す正面図、図１２の（ｂ）は、本発明の第一実施形態に係るボトル保持具の係合部を示す右側面図、図１２の（ｃ）は、本発明の第一実施形態に係るボトル保持具の係合部を示す平面図、図１３の（ａ）は、本発明の第一実施形態に係るボトル保持具のハンドルを示す正面図、図１３の（ｂ）は、本発明の第一実施形態に係るボトル保持具のハンドルを示す平面図である。
【００３５】
これらの図に示すように、ボトル保持具１は、ボトル２を一体的に保持し、その取り扱いを容易にするためのものである。ボトル保持具１によって保持されるボトル２は、その底面を形成する底部２ａと、底部２ａから立ち上がる胴部２ｂと、胴部２ｂの上端部から上方中央に向けて延びる肩部２ｃと、肩部２ｃの上端部に形成されるネック部２ｄと、ネック部２ｄの上方に形成される注出口２ｅと、注出口２ｅを開閉するキャップ２ｆとを備えて構成されている。キャップ２ｆは、開閉時に縦中心軸回りに回転操作される回転式のものであり、例えば、ねじ式のものなどが挙られる。
なお、ボトル保持具１が保持するボトル２に制限はないが、軽量な樹脂ボトルが好適であり、特に、比較的大容量（例えば、２リットル以上）で、かつ、保形性に乏しい薄肉なプラスチックボトル（例えば、ＰＥＴボトル）に適用すると、本発明の効果が顕著になる。
【００３６】
ボトル保持具１は、底部１０、係合部２０、連結部３０、ハンドル４０、第一の脱落防止板５０、第二の脱落防止板６０、ウィング７０、指掛け部８０などを備えて構成されている。
なお、ボトル保持具１の製造方法や材質に制限はないが、軽量でコスト的に安いプラスチック一体成形品であることが好ましい。また、材質としては、ボトル２を保持し得る剛性が求められるが、適度な撓み特性を備えることが好ましい。
【００３７】
底部１０は、ボトル２の底部２ａを受け止める部分であり、係合部２０は、ボトル２のネック部２ｄと係脱可能に係合する部分である。つまり、係合部２０には、ハンドル４０を左側に置いたとき、前方に開口する係合溝２１が形成されており、ここにボトル２のネック部２ｄが係合される。
図１２に示すように、本実施形態では、係合部２０と連結部３０との間に亘り、左右一対の指掛け部８０が形成されている。指掛け部８０は、係合溝２１の始端部から左右に延びる平板状であり、係合部２０に対するボトル２の係脱に際して指掛けとして利用できるので、図２９に示す従来例の突き出し部１２１に比べ、係合部２０に対するボトル２の係脱操作が容易になる。
【００３８】
連結部３０は、底部１０と係合部２０とを繋ぐ部分であり、ボトル２の胴部２ｂ及び肩部２ｃに沿って二本立設されている。一方の連結部３０の外面には、外方に向けてハンドル４０が突設されており、このハンドル４０を握ることにより、ボトル２の運搬や内容物の注出が行われる。
図１３に示すように、本実施形態のハンドル４０は、その内周面を形成する内周板４１と、外周面を形成する外周板４２と、これらを繋ぐリブ４３とによって断面Ｈ型に形成されるとともに、内周板４１の幅が外周板４２の幅よりも小さくしてある。これにより、ハンドル４０の強度が高められるだけでなく、ハンドル４０を握り易くして操作性の向上を図ることができる。
なお、このハンドル４０は、保持具のデザインや機能面などの多様性を考慮した場合、省略することもできる。
【００３９】
第一の脱落防止板５０は、二本の連結部３０の一側の中間部同士を繋ぎ、ハンドル４０を向かって左側に置いたとき、ボトル２の背面側外周に沿うように形成される。また、第二の脱落防止板６０は、第一の脱落防止板５０よりも下方で、かつ、第一の脱落防止板５０と高さ方向で重ならないように、二本の連結部３０の他側の中間部同士を繋ぎ、ハンドル４０を向かって左側に置いたとき、ボトル２の正面側外周に沿うように形成される。
このように構成すると、図７〜図９に示すように、二本の脱落防止板５０，６０によってボトル２の胴部２ｂが全周に亘って支持されるので、ボトル２自体が使用途中で撓み変形しても、安定に支持できるだけでなく、ボトル２の脱落も確実に防止できる。
しかも、第二の脱落防止板６０は、第一の脱落防止板５０よりも下方で、かつ、第一の脱落防止板５０と高さ方向で重ならないように形成されるので、第二の脱落防止板上方の開口部を広くすることができる。その結果、ボトルを傾けた状態で両脱落防止板間に容易に挿入して、ボトル保持具に装着することができる。
【００４０】
図７に示すように、脱落防止板５０，６０は、幅方向に連続する平板部５１，６１を備えることが好ましい。脱落防止板５０，６０に平板部５１，６１を形成すると、全体を円弧にする場合に比べ、ボトル保持具１の外径寸法を小さくできるだけでなく、ボトル２の胴部断面を長円状又は楕円状に規制し、冷蔵庫のポケットなどへの収納性を向上させることができる。
また、図２や図７に示すように、脱落防止板５０，６０同士の水平距離Ａは、ボトル２の胴部外径Ｂよりも小さいことが好ましい。このようにすると、保持したボトル２の胴部２ｂに脱落防止板５０，６０が食い込むので、ボトル２の支持がより確実になるとともに、ボトル２の脱落が一層防止される。
【００４１】
なお、脱落防止板５０，６０には、任意の文字やマークをシールや刻印によって施すことができる。この場合、図３に示すように、脱落防止板５０，６０のボトル支持面に文字やマークを施すと、ボトル２に充填された液体を介して文字やマークが目視されるので、液体のレンズ効果によって文字やマークが拡大、変形し、視覚的な面白さが付加される。
【００４２】
ウィング７０は、第二の脱落防止板６０よりも下方で、二本の連結部３０からそれぞれ延出し、ハンドル４０を向かって左側に置いたとき、ボトル２の背面側外周に沿うように二枚形成される。
このように構成すると、二枚のウィング７０によってボトル２の脱落が一層防止される。しかも、これらのウィング７０は、ボトル２を装着する際、両ウィング７０間の隙間や、ウィング７０自身の撓み変形によって、ボトル２の底部を逃がすことができるので、同じ箇所に第三の脱落防止板を形成する場合に比べ、ボトルの装着性を向上させることができる。
【００４３】
以上のように構成された第一実施形態によれば、ボトル２を一体的に保持するボトル保持具１であって、ボトル２の底面を受ける底部１０と、ボトル２の上部と係脱可能に係合する係合部２０と、底部１０と係合部２０とを繋ぐ二本の連結部３０と、一方の連結部３０から外方へ突出するハンドル４０と、二本の連結部３０の一側中間部同士を繋ぎ、ハンドル４０を向かって左側に置いたとき、ボトル２の背面側外周に沿う第一の脱落防止板５０と、第一の脱落防止板５０よりも下方で、かつ、第一の脱落防止板５０と高さ方向で重ならないように、二本の連結部３０の他側中間部同士を繋ぎ、ハンドル４０を向かって左側に置いたとき、ボトル２の正面側外周に沿う第二の脱落防止板６０とを備えるので、二本の脱落防止板５０，６０によって、ボトル２の胴部２ｂが全周に亘って支持される。これにより、ボトル２自体が使用途中で撓み変形しても、安定に支持できるだけでなく、ボトル２の脱落も確実に防止できる。
しかも、第二の脱落防止板６０は、第一の脱落防止板５０よりも下方で、かつ、第一の脱落防止板５０と高さ方向で重ならないように形成されるので、ボトル２の装着に際し、ボトル２を傾けた状態で両脱落防止板５０，６０間に容易に挿入できる。
【００４４】
ここで、脱落防止板５０，６０とウィング７０は、それらの端部が、図９，１０及び図４に示すように、段部５０ａ，６０ａ及び７０ａを介して連結部３０の対向する内面側の縁部に接合している。
このようにすると、ボトル未装着のボトル保持具を搬送したり保管したりする際、隣り合うボトル保持具の脱落防止板５０，６０やウィング７０がぶつかることなく、隣のボトル保持具の連結部の間に入り込むので、図１１に示すように、効率よくスタックすることが可能となる。
【００４５】
また、脱落防止板５０，６０は、幅方向に連続する平板部５１，６１を備えるので、ボトル保持具１の外径寸法を小さくできるだけでなく、ボトル２の胴部断面を長円状又は楕円状に規制し、冷蔵庫のポケットなどへの収納性を向上させることができる。
また、脱落防止板５０，６０同士の水平距離Ａは、ボトル２の胴部外径Ｂよりも小さくしてあるので、保持したボトル２の胴部２ｂに脱落防止板５０，６０が食い込ませることができ、その結果、ボトル２の支持がより確実になるとともに、ボトル２の脱落が一層防止される。
【００４６】
また、ボトル保持具１は、第二の脱落防止板６０よりも下方で、二本の連結部３０からそれぞれ延出し、ハンドル４０を向かって左側に置いたとき、ボトル２の背面側外周に沿う二枚のウィング７０を更に備えるので、ボトル２の脱落が一層防止される。しかも、これらのウィング７０は、ボトル装着時に邪魔にならないので、同じ箇所に第三の脱落防止板を形成する場合に比べ、ボトル２の装着性を向上させることができる。
【００４７】
また、ボトル保持具１の係合部２０には、係合部２０に対するボトル２の係脱に際して指掛けとなる指掛け部８０が形成されているので、係合部２０に対するボトル２の係脱操作が容易になる。
また、ハンドル４０は、その内周面を形成する内周板４１と、外周面を形成する外周板４２と、これらを繋ぐリブ４３とによって断面Ｈ型に形成されるとともに、内周板４１の幅が外周板４２の幅よりも小さくしてあるので、ハンドル４０の強度が高められるだけでなく、ハンドル４０を握り易くして操作性の向上が図れる。
【００４８】
［第二実施形態］
つぎに、本発明の第二実施形態に係るボトル保持具について、図１４〜図１６を参照して説明する。ただし、第一実施形態と共通の構成については、第一実施形態と同じ符号を付け、第一実施形態の説明を援用する。
図１４は、本発明の第二実施形態に係るボトル保持具の使用状態を示す側面図、図１５は、本発明の第二実施形態に係るボトル保持具の側面図、図１６は、本発明の第二実施形態に係るボトル保持具が保持するボトルの正面図である。
これらの図に示すように、本実施形態は、ボトル２の胴部２ｂに複数のビード（凹溝）２ｈが形成されている点と、これらのビード２ｈに脱落防止板５０，６０が嵌まり込む点が第一実施形態と相違している。
このように構成すると、ボトル２のビード２ｈに対する脱落防止板５０，６０の嵌入によって、ボトル２の支持がより確実になるとともに、ボトル２の脱落が一層防止される。
なお、本実施形態では、ボトル２のビード２ｈに対し、脱落防止板５０，６０を嵌合させるが、更にウィング７０を嵌合させてもよい。
【００４９】
[第三実施形態]
つぎに、本発明の第三実施形態であるボトルの共回り防止構造について、図１１〜図１３を参照して説明する。
本発明の第三実施形態に係るボトル保持具について、図１７〜図２３を参照して説明する。ただし、第一及び第二実施形態と共通の構成については、第一実施形態と同じ符号を付け、第一実施形態の説明を援用する。
【００５０】
これらの図に示すように、本実施形態に係るボトル保持具１は、底部１０の上面に、ボトル２の底面と当接する滑り止め部材１８０を備えている。この滑り止め部材１８０は、静摩擦係数が０．６以上であり、ボトル２の自重に応じて発生する摩擦力によって、キャップ開閉操作時におけるボトル本体の共回り規制を行う。
このように構成すると、キャップ開閉時に特殊な操作を行うことなく、キャップ開閉操作時におけるボトル本体の共回りを防止することが可能になる。
【００５１】
滑り止め部材１８０の材質に制限はない。例えば、ウレタンシート、ゴムシートなどを好適に用いることができる。特に、適度な静摩擦係数を有することが好ましい。
また、滑り止め部材１８０は、ボトル保持具１における底部１０の上面のうち、ボトル２の底面と当接する部分のみに設けられることが好ましい。例えば、本実施形態では、底部１０の上面のうち、ボトル２の底面が当接しない中央部分を除き、ドーナッツ状の領域に滑り止め部材１８０を貼着している。このようにすると、滑り止め部材１８０の必要量を減らし、コストダウンを図ることができる。
なお、滑り止め部材１８０は、底部１０の上面だけでなく、係合部２０の内面、脱落防止板５０，６０の内面などにも設けることができ、このようにした場合も、ボトル本体の共回りを防止することができる。これらの滑り止め部材１８０は、単独あるいは、適宜組み合わせて用いることができる。
【００５２】
以上のように構成された本実施形態によれば、ボトル２を一体的に保持するボトル保持具１であって、ボトル２の底面を受ける底部１０と、ボトル２の上部と係脱可能に係合する係合部２０と、底部１０と係合部２０とを繋ぐ連結部３０と、連結部３０から外方へ突出するハンドル４０と、底部１０の上面などに設けられ、静摩擦係数が０．６以上である滑り止め部材１８０とを備えるので、キャップ開閉時に特殊な操作を行うことなく、ボトル底面と滑り止め部材１８０との間の摩擦力によって、キャップ開閉操作時におけるボトル本体の共回りを防止することが可能になる。これにより、キャップ開閉時の操作性を向上させることができるだけでなく、一般的なボトルとの互換性を維持し、充填ラインなどを共用できる。
【００５３】
また、滑り止め部材１８０をウレタンシートとした場合には、適度な静摩擦係数を有する滑り止め部材１８０を安価にできる。
また、ボトル保持具１における底部１０の上面のうち、ボトル２の底面と当接する部分のみに滑り止め部材１８０を設けた場合には、滑り止め部材１８０の必要量を減らし、コストダウンを図ることができる。
【００５４】
以下、本発明のボトルユニットの実施形態について、図２４〜図２８を参照して説明する。
ただし、第一実施形態と共通の構成については、第一実施形態と同じ符号を付け、第一実施形態の説明を援用する。
【００５５】
これらの図に示すように、本発明の実施形態に係るボトル２は、底面に凹部２ｇを備えており、また、本発明の実施形態に係るボトル保持具１は、底部１０の上面に凸リブ１１を備えている。ボトル保持具１の凸リブ１１は、ボトル２の凹部２ｇと係合可能であり、この係合により、キャップ開閉操作時におけるボトル本体の共回り規制を行う。
このように構成すると、キャップ開閉時に特殊な操作を行うことなく、キャップ開閉操作時におけるボトル本体の共回りを防止することが可能になる。
【００５６】
凸リブ１１や凹部２ｇの形状は、任意に定めることが可能であるが、ボトル底面の径方向に延びる長尺状が好ましい。このようにすると、ボトル本体の共回り方向において大きな係合力を確保し、ボトル本体の共回りを確実に規制することが可能になる。
また、凸リブ１１の数も任意であるが、ボトル保持具１の底部１０における同一円周上に、少なくとも２本以上を等間隔に設けることが好ましい。
また、ボトル２の底面に形成される凹部２ｇの数も任意であるが、凸リブ１１と同一円周上に凸リブ１１の本数の整数倍設けることが好ましい。このようにすると、ボトル２の底面に形成される凹部２ｇと、ボトル保持具１の底部１０に形成される凸リブ１１との係合可能位置が増えるので、凹部２ｇと凸リブ１１の位置合わせが容易になる。
【００５７】
以上のように構成された本実施形態によれば、注出口２ｅを回転式のキャップ２ｆで開閉するボトル２と、このボトル２を一体的に保持するハンドル付きのボトル保持具１とを含むボトルユニットであって、ボトル２が、底面に凹部２ｇを備え、ボトル保持具１が、ボトル２の底面を受ける底部１０と、ボトル２の上部と係脱可能に係合する係合部２０と、底部１０と係合部２０とを繋ぐ連結部３０と、連結部３０から外方へ突出するハンドル４０と、底部１０の上面に形成され、凹部２ｇとの係合により、キャップ開閉操作時におけるボトル本体の共回りを規制する凸リブ１１とを備えるので、キャップ開閉時に特殊な操作を行うことなく、キャップ開閉操作時におけるボトル本体の共回りを防止できる。これにより、キャップ開閉時の操作性を向上させることができるだけでなく、一般的なボトルとの互換性を維持し、充填ラインなどを共用できる。
【００５８】
また、凸リブ１１は、ボトル保持具１の底部１０の同一円周上に、２〜４本等間隔に設けたので、数少ない凸リブ１１でボトル本体の共回りを効率良く規制することができる。
また、ボトル２の底面の凹部２ｇは、凸リブ１１と同一円周上に凸リブ１１の本数の整数倍設けたので、凹部２ｇと凸リブとの係合可能位置が増え、凹部２ｇと凸リブ１１の位置合わせが容易になる。
【産業上の利用可能性】
【００５９】
本発明は、ボトルを一体的に保持するハンドル付きのボトル保持具に適用され、特に、比較的大容量で、かつ、保形性に乏しい薄肉な軽量ボトルを保持するボトル保持具及びボトルユニットに好適に用いることができる。
【図面の簡単な説明】
【００６０】
【図１】本発明の第一実施形態に係るボトル保持具の使用状態を示す正面図である。
【図２】本発明の第一実施形態に係るボトル保持具の使用状態を示す側面図である。
【図３】本発明の第一実施形態に係るボトル保持具の正面図である。
【図４】本発明の第一実施形態に係るボトル保持具の背面図である。
【図５】本発明の第一実施形態に係るボトル保持具の左側面図である。
【図６】本発明の第一実施形態に係るボトル保持具の右側面図である。
【図７】本発明の第一実施形態に係るボトル保持具の平面図である。
【図８】本発明の第一実施形態に係るボトル保持具の底面図である。
【図９】本発明の第一実施形態に係るボトル保持具のＩ−Ｉ断面図である。
【図１０】本発明の第一実施形態に係るボトル保持具のII−II断面図である。
【図１１】本発明の第一実施形態に係るボトル保持具をスタックした状態を示す右側面図である。
【図１２】（ａ）は、本発明の第一実施形態に係るボトル保持具の係合部を示す正面図、（ｂ）は、本発明の第一実施形態に係るボトル保持具の係合部を示す右側面図、（ｃ）は、本発明の第一実施形態に係るボトル保持具の係合部を示す平面図である。
【図１３】（ａ）は、本発明の第一実施形態に係るボトル保持具のハンドルを示す正面図、（ｂ）は、本発明の第一実施形態に係るボトル保持具のハンドルを示す平面図である。
【図１４】本発明の第二実施形態に係るボトル保持具の使用状態を示す側面図である。
【図１５】本発明の第二実施形態に係るボトル保持具の側面図である。
【図１６】本発明の第二実施形態に係るボトル保持具が保持するボトルの正面図である。
【図１７】本発明の第三実施形態に係るボトル保持具の正面図である。
【図１８】本発明の第三実施形態に係るボトル保持具の右側面図である。
【図１９】本発明の第三実施形態に係るボトル保持具のIII−III断面図である。
【図２０】本発明の第三実施形態に係るボトル保持具のIV−IV断面図である。
【図２１】（ａ）は、本発明の第三実施形態に係るボトルの底部断面図、（ｂ）は、本発明の実施形態に係るボトルの底面図である。
【図２２】（ａ）は、本発明の第三実施形態に係るボトル保持具の底部平面図、（ｂ）は、本発明の実施形態に係るボトル保持具の底部正面図である。
【図２３】本発明の第三実施形態に係るボトル保持具及びボトルの底部断面図である。
【図２４】本発明のボトルユニットの実施形態に係る正面図である。
【図２５】本発明のボトルユニットの実施形態に係るＶ−Ｖ断面図である。
【図２６】（ａ）は、本発明の実施形態に係るボトルの底部断面図、（ｂ）は、本発明の実施形態に係るボトルの底面図である。
【図２７】（ａ）は、本発明の実施形態に係るボトル保持具の底部正面図、（ｂ）は、本発明の実施形態に係るボトル保持具の底部側面図、（ｃ）は、本発明の実施形態に係るボトル保持具の底部平面図である。
【図２８】本発明のボトルユニットの実施形態に係る底部断面図である。
【図２９】（ａ）は、従来例に係るボトル保持具の正面図、（ｂ）は、従来例に係るボトル保持具の右側面図、（ｃ）は、従来例に係るボトル保持具の平面図である。
【図３０】（ａ）は、従来例に係るボトル保持具の係合部を示す正面図、（ｂ）は、従来例に係るボトル保持具の係合部を示す右側面図、（ｃ）は、従来例に係るボトル保持具の係合部を示す平面図である。
【図３１】（ａ）は、従来例に係るボトル保持具のハンドルを示す正面図、（ｂ）は、従来例に係るボトル保持具のハンドルを示す右側面図、（ｃ）は、従来例に係るボトル保持具のハンドルを示す平面図である。
【符号の説明】
【００６１】
１  ボトル保持具
２  ボトル
２ａ  底部
２ｂ  胴部
２ｃ  肩部
２ｄ  ネック部
２ｅ  注出口
２ｆ  キャップ
２ｇ  凹部
２ｈ  ビード
１０  底部
１１  凸リブ
２０  係合部
２１  係合溝
３０  連結部
４０  ハンドル
４１  内周板
４２  外周板
４３  リブ
５０  第一の脱落防止板
５１  平板部
６０  第二の脱落防止板
６１  平板部
７０  ウィング
８０  指掛け部
１００  ボトル保持具
１１０  底部
１２０  係合部
１２１  突き出し部
１３０  連結部
１４０  ハンドル
１７０  ウィング
１８０  滑り止め部材
Ａ  水平距離
Ｂ  胴部外径
【図１】
0004586122.tif 000002
【図２】
0004586122.tif 000003
【図３】
0004586122.tif 000004
【図４】
0004586122.tif 000005
【図５】
0004586122.tif 000006
【図６】
0004586122.tif 000007
【図７】
0004586122.tif 000008
【図８】
0004586122.tif 000009
【図９】
0004586122.tif 000010
【図１０】
0004586122.tif 000011
【図１１】
0004586122.tif 000012
【図１２】
0004586122.tif 000013
【図１３】
0004586122.tif 000014
【図１４】
0004586122.tif 000015
【図１５】
0004586122.tif 000016
【図１６】
0004586122.tif 000017
【図１７】
0004586122.tif 000018
【図１８】
0004586122.tif 000019
【図１９】
0004586122.tif 000020
【図２０】
0004586122.tif 000021
【図２１】
0004586122.tif 000022
【図２２】
0004586122.tif 000023
【図２３】
0004586122.tif 000024
【図２４】
0004586122.tif 000025
【図２５】
0004586122.tif 000026
【図２６】
0004586122.tif 000027
【図２７】
0004586122.tif 000028
【図２８】
0004586122.tif 000029
【図２９】
0004586122.tif 000030
【図３０】
0004586122.tif 000031
【図３１】
0004586122.tif 000032